(57)【要約】【課題】不快音発生のないトイレットペーパー保持具を得る。【解決手段】回転軸を有する円錐保持体をロール紙芯孔に左右からバネの力で嵌合挟持しロール紙とを一体化して、同時に円錐台保持体の緩衝構造によって偏心を補正しロール紙の回転振れを修正する。ロール紙の持つ歪みが原因であるものに対しては上方からの押え板をバネの力で浮かせてロール紙に常時非接触の構造として押え板による不快音の発生を防止する。円錐台保持体は回動軸にリンクすることでこれを左右に開くもので、ロール紙を持ってこれを押し上げながら片手で着脱できる構成とする。【選択図】図１
2015196080.tif 000002
【特許請求の範囲】
【請求項１】
緩衝構造を以ってなる円錐台保持体（１）は回転支軸（４）の一端に軸支し、前記軸の他端は関節（９）を介して回動アーム（１０）に連結し、この回動アーム（１０）は回動軸（１１）で支持されるリンクを構成し、
このリンク一対を左右から向き合せ配置して前記円錐台保持体（１）の小径側をロール紙芯孔端部（２）に両端から嵌入して円錐部で嵌着し回動バネ（８）の付勢でロール紙（３）を挟持一体化保持しこれを前記回転支軸（４）による軸回転させるものであることを特徴としたトイレットペーパー保持具。
【請求項２】
請求項１における緩衝構造は円錐面が、所定の深度までを構成する素材がシリコーン樹脂でなり、その円錐全周面に適当な間隔で縦方向に断面はＶ型であるスリット（５）を設け、それによってその跡に形成される緩衝山形（６）の断面形状を底部を厚く頂部を薄い三角形構造若しくは上辺を持つ台形構造によってなるものであることを特徴としたトイレットペーパー保持具。
【請求項３】
ブラケット（１８）に揺動軸支設置される押え板（１３）は支持バネ（１４）の付勢により浮かせてロール紙（３）とは常時非接触構成であり、必要時に上方からこれを押えることでロール紙を押し固定した後に紙を切り取ることが出来る構成であることを特徴としたトイレットペーパー保持具。
【発明の詳細な説明】
【技術分野】
【０００１】  本発明はトイレットペーパーロールの保持具に関する。
【背景技術】
【０００２】  ロール型トイレットペーパーの芯は通常厚紙の紙管が使用されているが、この紙管を使うことなくペーパーそのものが貫通孔を形成するもの、すなわち無紙管のものもあり何れの場合も、特に家庭などではロール紙芯孔である貫通孔にペーパー保持具の空転軸を挿通して空転支持し使用される。【０００３】  ロール紙芯孔の内径は一定しておらずメーカーにより異なる不定形であるのが普通であり、この現実からロール紙は空転軸上で空転させて使用するか、空転軸を用いない保持具の構成で使用することが製品仕様であると思料できるものである。【０００４】  無紙管ロールの場合、製造課程における原因と考えられるものに芯孔が歪んでいるものも多いが、そうした製品もふつうに流通しているのが現状である。
また、ロール紙自体が物流の課程において外力を受けて変形するということも少なからずあり、製造者の意向に拘らず欠点のある変形製品となって流通する。【０００５】  紙管についてもその端部角が潰れるなどして部分的に突起が出来ていたり、円形が歪んでいる場合も多くあるが消費者が購入時に良質の物を選択したくてもパッケージなどで見えない状況が普通にある。【０００６】  軸支の従来技術としてはロール芯孔の径に対して大幅に細い空転軸が挿通されているのが一般的な保持具状況であり、支軸の上をロール紙が摺り廻る空転軸構造であることから、そこに不快な雑音が発生する根本原因が潜在している。【０００７】  先行する技術文献１や２では、何れの場合もロール紙芯孔部を半球状の保持部材で弾性材を作用させて挟持し保持するというものである。
【先行技術文献】
【特許文献】
【０００８】
【特許文献１】  特開平８−１３１３６８号公報
【特許文献２】  特開２０１２−２５０００９号公報
【発明の概要】
【発明が解決しようとする課題】
【０００９】  従来のペーパー保持具からは、一般的に言われる不快音、すなわちトイレ個室内における所作、動作、行為などがそれぞれ特有の音に変換されて、時には保持具や壁などが共鳴してその音は拡大され、外部へ不本意かつあからさまに伝達されてしまう雑音であり、それら雑音の発生原因は異なる要素であり複合的でもあるため、原因の一々を正確に捉えることが重要である。それらの課題を解決して総合的に不快音の発生が解消される。【００１０】  原因の１として、ロール紙芯孔の内径に対して従来そこに挿通される空転軸の直径は細く、軸対径の差が大きな空間となっているものが普通であり、また、その形も丸棒ではなく略四角形である物も普通にある。このような組合せから、紙を引き出せばロール紙管は空転軸上を摩擦回転しながら、摩擦音や揺動音を発生させていた。
さらに、ロール紙芯孔が商品として変形していたり紙管角に突起が形成されるなどの欠陥がある時、空転軸の上でロール紙が円滑に空転することが出来ず、変形部を通過する際にロール紙がこの空間で、上下に踊る乱回転となるために、空転軸とロール紙の間で大きく音が発生していた。【００１１】  原因の２として、ロール紙の一定量を梱包した流通過程において、過度に締め付けられる外力によって楕円形や四角形に近い外形にクセのついた商品となってしまう。これを保持具にセットし紙を引き出すとき、偏回転となってロール紙上に乗っている押え板に、カム機構のような忠実な上下動が起こり、その押え板から音を発するもので、ロール紙１回転で最大４回もの音が出る場合も現状としてある。【００１２】  原因の３として、ロール紙形状の偏りによる回転振れによって、ロール紙の重量などが影響して発する振動が低音の響きとなって、ブラケットやさらにそれを取付けられたトイレの仕切り壁に共鳴して大きくなる音もあり、紙を引き出すときの勢いによって連続音となって室内外に響き渡り忌むべき不快音となるものである。
本発明はこれら前述した原因が複合する場合も含めて、これを取除き種々の不快音が発生しないペーパー保持具を得ることが目的である。【００１３】  先行技術の特許文献１，２においてはロール紙芯孔部を挟持する挟持部は半球状であり、その球面を芯孔縁部に当接嵌合して孔を閉塞するとしてバネの力などで挟持することが述べられているが、球面による当接、嵌合、保持は孔端部への左右からの当接面圧縮による保持であるから構造的に軸に対して直交する力の支持力とは成り難く、故に回転中にズレ易く確実性に乏しい保持手段である。【００１４】  これは左右から弾力を作用させている球面保持部間に、ロール紙を押し込み装着するとき中心への位置決めが成り難いという欠点でもあり、手に持つロール紙を球面体間へ押し込んで停止装着することは、その位置を手加減に頼る不確実性が大きく、一発で回転軸心上に乗せることは極めて難しいことである。それは硬い物同士であれば滑り易さから球面体が初回で、予定の位置へ納まるであろうことは容易に理解されるが、紙質の断面物対プラスチック体では滑り難く少しずれていても、自然修正されることなくそのまま乱雑に挟持するだけであり、軸心へ誘導することは出来難いのである。【００１５】  正確な挟持を実現することは軸回転に転換するうえで、そして不快音防止において極めて重要な事柄である。
ロール紙の偏回転に直結することであるにもかかわらず、特許文献１，２における先行技術では、重要な偏回転や回転振れに対する視点が示されておらず、それ故に当該発明においては不快音の除去は今だ未完成と見ることが妥当であると言える。【００１６】  また、保持部の形状については前記特許文献２において、球面を採用の傍ら、保持部材の当接面は円錐でも良い、と可能性が示唆されている。
半球を弾性のブラケットで押すとするその主張の概略は、左右の球面体間にロール紙を押し込んで装着するものであるが、その重要な構成は開示がなく全く不明であり、球面体を円錐に代えたとき、どのように押込みが実現されるのか説明なしに理解することはできず、徒に可能性があるかに記載したに過ぎないものと言える。
これに対して本発明では、円錐を用いるならば円錐上部が邪魔になるため、ロール紙を押し込むことは出来ず、装着の実現は不可能に近いことを確認し、円錐台形をもって保持部を構成しそこへ詳述しているところの新規工夫を加えて具体化し、課題を解決したもので前記特許文献とは明確に違うものである。【００１７】  特許文献１，２においては、芯孔縁部の保持される部分に、突起や歪みがあるロールの存在については開示がなされていない。然るに現実は突起や変形の流通品は多くそれらが確実に不快音の発生源たり得る中で、その物に球面体が当接するとロール紙は姿勢が崩れたままで挟持されるから、回転振れが発生し雑音発生へと繋がるのである。振れや偏回転は従来から未解決となっていた重大な部分であり、このことから前記文献においては歪みを持つロール紙は、当該発明の対象外に位置付けられているものと思料される。【００１８】  前記に対し、本発明はこれを課題としそして解決をしているのであり、円錐台形の保持体を、ロール紙芯孔に嵌入して、芯孔内径に円錐外径の一点（一周線）で嵌合させることは、芯孔径最小のロールから最大径のロールの範囲において、それが如何なる位置で嵌合しても円錐の一定角度で軸に直交する負荷を支持するものであり、また前記緩衝構造とを組合せて歪みのあるロール紙でも確実に保持する高い挟持能力を実現している。円錐台保持体によって得られるこの保持力の確実性は本発明の特徴であり、特許文献１，２の先行技術構造においては得ることの出来ないものである。
【課題を解決するための手段】
【００１９】  トイレットペーパー保持具から出る不快な回転音の発生防止に係るものであって、
緩衝構造を以ってなる円錐台保持体（１）は回転支軸（４）の一端に軸支し、
前記軸の他端は関節（９）を介して回動アーム（１０）に連結し、この回動アーム（１０）は回動軸（１１）で支持されるリンクを構成し、
このリンク一対を左右から向き合せ配置して、前記円錐台保持体（１）の小径側をロール紙芯孔端部（２）に両端から嵌入して、円錐部で嵌着し回動バネ（８）の付勢でロール紙（３）を挟持一体化保持し、これを前記回転支軸（４）による軸回転させるものであることを特徴としたトイレットペーパー保持具である。【００２０】  請求項１における緩衝構造は円錐面が、所定の深度までを構成する素材がシリコーン樹脂でなり、その円錐全周面に適当な間隔で縦方向に断面はＶ型であるスリット（５）を設け、それによってその跡に形成される緩衝山形（６）の断面形状を底部を厚く頂部を薄い三角形構造若しくは上辺を持つ台形構造によってなるものであることを特徴としたトイレットペーパー保持具である。【００２１】  トイレットペーパー保持具から出る不快な回転音の発生防止に係るものであって、
ブラケット（１８）に揺動軸支設置される押え板（１３）は支持バネ（１４）の付勢により浮かせてロール紙（３）とは常時非接触構成であり、必要時に上方からこれを押えることでロール紙を押し固定した後に紙を切り取ることが出来る構成であることを特徴としたトイレットペーパー保持具である。【００２２】  用語の定義を行うと、円錐台保持体とは円錐台形をなす挟持体であり、２個の挟持体でロール紙芯孔端部へ嵌入し円錐部でロール紙を挟み嵌合保持する部材である。【００２３】  緩衝山形とは弾性材でなる円錐台保持体にＶ型スリットを刻みその跡に残る山形形状の固形部を表す名称であり、複数の緩衝山形はＶ型スリット含めて緩衝構造と表す。【００２４】  回転支軸とは支軸の一端に嵌入する円錐台保持体が軸回転しこれを支持する軸を言う。
【発明の効果】
【００２５】  本発明によって以下のような効果が得られた。
回転支軸と回動アームとの連結に関節を介在させたリンクを構成することによって、ロール紙と保持体との軸線を屈折させることなく一本化し、これを回転軸上に搭載したことでロール紙の円滑な回転を実現し、併せて音発生の原因であった空転軸構成を排除したことで、不快音発生を無くしたものである。【００２６】  円錐台保持体でロール紙を挟持一体化するとき、円錐面の緩衝構造によってロール紙芯孔端部の角や歪んだ突出部分を食込み吸収して、回転軸心に対するロール紙心のズレが是正され、本来の軸心に同化若しくは接近させることとなって、ロール紙の回転振れを最小化することを実現したもので、偏回転や振れを原因とした不快音発生を防止した。【００２７】  従来は上方からの押え板とロール紙との摩擦を利用して紙の出過ぎを抑制していたために、ロール紙の歪みによる偏回転が押え板を直接確実に上下振動させて、雑音を発生させていたもので、本発明においては紙の出過ぎ抑制は別途構成で実現し、新たに押え板をバネの付勢で常時浮かせることで、ロール紙との常時非接触構造を実現して、偏回転の影響を排除し、押え板からの不快音発生を防止した。【００２８】  円錐台保持体支持リンクを一対配置したことによって、ロール紙の着脱を極めて容易化したことは本発明における大きな特徴であり、従来製品になかった効果である。すなわち、ロール紙の装着時に保持体の円錐面に対して、片手で持つロール紙端部を下方から当てて、押し上げる簡便操作で装着空間にロール紙を受け入れ、同時に装着が完了する。取り外しも同様に簡単である。
このことはロール紙の不快音発生防止機能を維持しながら、その上で着脱の容易化を実現したものであるから、従来に無かった大きな特長である。
【図面の簡単な説明】
【００２９】
【図１】本発明保持具の正面一部断面図
【図２】図４のＡ−Ａ′線断面図
【図３】本発明の取付け状態の進行を示す正面一部断面図
【図４】本発明保持具のリンクの作用を示す側面図
【図５】本発明保持具の押さえ板１３を示す側面図
【発明を実施するための形態】
【００３０】  本発明においては歪みなど欠点のあるロール紙でも、静かに且つ円滑に引き出すことのできる保持具を実現するため、軸回転によって紙を繰り出す手段を選択したもので、特に芯孔に歪みや凹凸など欠点のあるロール紙であっても、軸回転に簡単に搭載することを実現し、前記の欠点を原因として、ロール紙が偏回転に陥ることを最小化して、不快音発生の防止を実現したものであり以下に実施例を述べる。
【実施例】
【００３１】  本発明を図によって説明すると、図１に示す円錐台形をなす円錐台保持体１をロール紙芯孔端部２に回動バネ８の付勢によって、左右から嵌入し径が合致した位置で、嵌合挟持固定させるもので、これによってメーカー毎に不定径なロール紙芯孔であっても、問題なく挟持一体化保持することを実現し、ロール紙３は回転支軸４で支持され軸回転する構成となる。【００３２】  前記状況は、不定形に存在するロール紙個々間の内径差に対して、円錐部が調整の役割を果しこれを嵌入させることで、一定の範囲内の内径であれば何れでも、つまりメーカーが異なっても市販品であれば、自然に合致点でロール紙を挟持し、同時にロール紙３をもって回転軸への搭載が実現される構造である。【００３３】  さらに、円錐台保持体１は緩衝構造を構成するもので、これは円錐台保持体１との接点であるロール紙芯孔端部２に対して、円錐部が柔軟材でなり全周的にソフトに食い込み易くし、安定した一体化挟持を実現する構造である。【００３４】  この緩衝構造とは、ロール紙芯孔の歪みや変形突出部があると、円錐台保持体の嵌入に偏りが生じロール紙が偏回転となるために、この時の偏りを自然に是正する作用が働く構造であり、図１，図２に示すように円錐外周面の構造が、シリコーンゴムなどの柔軟素材によってなる円錐面に、適当な数と深さでなるＶ型のスリット５を縦に刻んで、表面形状を変化させ、そのスリットを刻んだ跡に形成される緩衝山形６の断面形状を、底部を厚く頂部を薄い三角形構造とし又は上辺のある台形とすることで、その頂部のみで構成される変化させた円錐外周面とし、柔軟で変形し易いものとしてその深層になるほど厚みによってその支持力が増す構造である。これは表層ほど隣接との空間つまりスリット幅が広く柔軟度が大となる柔軟性を実現したものである。【００３５】  前記緩衝構造による作用は、図２に表示するＡ−Ａ′線断面図において、歪んだ芯孔端部２の中に、円錐台保持体１の緩衝構造部が嵌合した状況を示すもので、芯孔の歪み部が内側に突出し、これを受けて緩衝山形６の柔軟頂部が折れ曲がり、変形することで歪み部が食込み、突出部を受け入れ消化している状態を示し、他の歪みなく円形を保つ紙管内周部では、緩衝山形６の頂部が最小限の食込みとなり折れ曲がるまでもなく、残る全ての緩衝山形すなわち緩衝構造で頂部支持する状況になる。【００３６】  このように一部に歪み突出部があるとき、少数の緩衝山形６が変形しながらこれを受け入れ支持し、歪みのない円周部全てを他の緩衝山形６が受ける圧力は総持ちで平均化され、個当りは弱く小規模の食込みに留まる。それによって緩衝構造は一部の変形突出部を吸収したものとなり、回転心を導き出す目的である心ズレの最小化が自然に実現し易くなるのである。【００３７】  さらに上述した芯孔端部２の歪みを吸収する作用で、芯孔は本来の芯が導き出されることで円滑な軸回転に繋がり、僅かなズレが残った場合でもロール紙の初期回転で負荷の軽い方へと周辺力が所謂揺さぶり作用して、円錐台保持体１の心と同化若しくは限りなく近づくものとなり、回転の振れ止め効果となって一つの課題が解決する。特に突出部などの欠点のあるロール紙芯孔でも、その突出部が突出分だけ深く���い込むためにこれを吸収することとなり、それは軸心により近づく働きとなりロール紙は回転軸に乗るものとなる。【００３８】  円錐台保持体１の中心に設けた軸穴に、回転支軸４が嵌入してこれを軸支し、その軸先は後方から回動バネ８の力で、軸穴の奥壁へと付勢しそれをもってロール紙を左右から挟持することでロール紙の軸支が実現する。【００３９】  図１において円錐台保持体とロール紙挟持機能を維持したままで、ロール紙の着脱容易化を実現した実施例であり図において、回転支軸４の後端は関節９を介して回動アーム１０に連結し、そのアームは回動軸１１に軸支され同軸に組込まれた回動バネ８により内側に付勢し、その付勢はストッパー１２で制限されるリンクを構成する。関節９の構造は例えばフォークとピンの組合せなど回動範囲を制限できるものが効果的である。【００４０】  円錐台保持体１の小径部は、市販ロール紙の芯孔径の最小なる場合の径に対応した設定としその小径部附近で嵌合挟持したとき、回動アーム１０の傾きは内側へ傾斜しており、図１に示すこの傾斜を初期傾斜とする。
図４に示すその他のロール紙に変り、芯孔径が順次大なるともバネの付勢は進み嵌合するが、これは円錐台保持体１が芯孔への嵌入がより深くなることを意味するものであるから、回動アーム１０は更に内側へ傾斜して保持を再現し、ロール紙芯孔径のバラツキを吸収調整するその機能が実効されるのである。【００４１】  関節９をリンク中に配設したことで、一連の挟持一体化保持動作によって円錐台保持体１の嵌入程度が深くなる場合でも、前述のように回動アーム１０の傾斜も併せて深く傾斜して保持力は維持され、一体化保持された三本の軸心が屈折することのない一本化を維持することを実現する。【００４２】  前記した回動アームの傾斜構造は後述段落４７番の押え板１３の働きに関係する。【００４３】  本発明においては、軸心の一本化は紙管軸のあるロール紙を間に介して構成される形態として、そのロール紙使用完了後直ちに交換されるためにその時一本化は解消されるが、続いて新たなロール紙装着と同時に回転軸心の一本化と、円滑な回転が自然的に再現されることが大きな特長である。この良好な再現性はロール紙着脱の容易化に直結するものである。【００４４】  図３はロール紙装着時におけるリンクの動きを示すもので着脱操作は片手で行い、（イ）図においてロール紙３の端部を円錐台保持体１に当てて下方から矢印のように押し上げると、回動アーム１０が左右に回動して開き、（ロ）図に示すようにロール紙の進入が実現するもので、使用済みのロール紙管を取り外す時も同様に、回動アーム１０が作用し現状から上方へロールを上げることで離脱する。【００４５】  前記のようにロール紙を押し上げ進むと、円錐部が芯孔に至り円錐台保持体１は左右から回動バネ８の付勢で、芯孔端部２に嵌入しロール紙の装着が完了する。この極めて高い迅速性、簡便性をもって不快音発生防止リンク装置であるところの回転軸上にロール紙を搭載することを簡単な操作で繰り返し再現できるもので、これらの容易化された着脱は前記リンク一対を回動軸１１ａ，１１ｂの２点で支持する本発明の特徴的構成で実現したものである。【００４６】  従来の押え板は不快音の発生源となっていたが、本発明ではこのことに着目し図５に示す押え板１３は、揺動軸１９でブラケット１８に揺動設置され、支持バネ１４の付勢によって持ち上げ、図４、図５に示すようにロール紙とは常時非接触としたことで、その時々のロール紙が最終的に小規模な振れや偏回転が残るともその影響を受けることのない、従って従来のような押え板から不快音が発生することのない保持具を実現したものである。必要時においてのみ手で板を押えると板がロール紙を押し止めるのでそこで紙を切取ることができる。【００４７】  図４、図５において、紙を切り取る時に押え板１３を手で押えると、ロール紙から円錐台保持体、さらに回動アームまで押え力が伝わることとなる。その加圧力は回動軸１１で行き止まるのであるが、この時回動アームが内側へ少なくとも初期傾斜しているため、余力の逃げ先として、円錐台保持体が左右から内側へ圧縮して、緩衝構造の嵌合部へ加圧作用し挟持力が強化されるのである。この構造は紙を切る都度に発生する作用として、ロール紙一体化保持力を安定強化させる効果として働く���【００４８】  円錐台保持体の背面１５を摩擦面として、ここに摩擦盤１６が摩擦バネ１７の付勢で接触することで、一体化したロール紙に摩擦による一定の引出し抵抗力を持たせ、従来の押え板に代わって紙の出過ぎを抑制する構成である。この出過ぎ抑制装置は少なくとも左右の一方へ設置する。【００４９】  紙の出過ぎを抑制する構造については、従来の押え板によるロール紙の直接的抵抗によるものに比べ、本発明に示す例である間接抵抗によるものが、雑音防止の上から好ましいものとなる。また回転支軸を抵抗体とすることも良い。【００５０】  図１〜図４において、ブラケット１８の表示を省略している。
【符号の説明】
【００５１】  １：円錐台保持体、２：芯孔端部、３：ロール紙、４：回転支軸、５：スリット、６：緩衝山形、７：紙管、８：回動バネ、９：関節、１０：回動アーム、１１：回動軸、１２：ストッパー、１３：押え板、１４：支持バネ、１５：背面、１６：摩擦盤、１７：摩擦バネ、１８：ブラケット、１９：揺動軸。
【図１】
2015196080.tif 000003
【図２】
2015196080.tif 000004
【図３】
2015196080.tif 000005
【図４】
2015196080.tif 000006
【図５】
2015196080.tif 000007